(57)【要約】【課題】従来の製品では、ラップフィルムを容易にリリースするために、硬質な厚紙のロール芯にラップフィルムを巻きつけしているが、ラップの使用後においてはロール芯は単にゴミとして残るにすぎない。またラップフィルムの箱についても同様に、厚紙の箱とフィルムをカットするカッターがアルミ製等である場合については、分別してゴミとして廃棄しなければならない。加えて、中身が見えない箱にあってはラップフィルムの残量を知ることができなかった。これらの課題を解決するとともに、ラップフィルムを連続してカットし易い形状のケースとすること。【解決手段】ラップフィルムの従来の芯にあたるものの代替に、厚紙にラップフィルムを粘着固定して巻き込みロールを作成する。また、これを収納するケースは透明なプラスチック製のものとし、半永久的にケースが使用できるようにする。ケースを透明プラスチックとすることで、ラップフィルムの残量を示すマーカーを目視できるようにする。さらに、それを収納するケースはラップフィルムを連続して引き出しし易い形状とした。【選択図】    図１
2004244101.tif 000002
【特許請求の範囲】
【請求項１】
従来のラップフィルムは硬質な厚紙のロール芯に巻いて形状を保つとともに、ラップフィルムロールの巻き戻りや引出し過ぎを制御する機能性を果たしていた。しかし、ラップフィルムを使い終えたときには、ロール芯は嵩張るゴミとして排出されるにすぎない。従来の製品に使用されていた硬質な厚紙のロール芯に代えて、画用紙程度の厚紙をラップフィルムの芯の代替えとすることで可能となる、芯のないラップフィルムロール。
【請求項２】
芯のないラップフィルムロールについては、ラップフィルムの形状を使い切る段階まで維持することと、ラップフィルムロールの巻き戻りや引出し過ぎを制御する方法が問題となる。その問題を解決するため、ラップフィルムロールに差込み、形状の保持とロールの回転を制御する、スポンジを巻いたプラスチック製の半永久的使用が可能なロール芯。
【請求項３】
従来の製品にあっては、ロール芯ばかりではなくそれを収納するケースについても使い捨ての紙製のケースであり、ラップフィルムの使用後においてはゴミとして排出されている。ゴミの排出を低減させ、また、請求項１及び請求項２のラップフィルムロール及びロール芯の機能を生かす、半永久的に使用できる透明なプラスチックケース。
【請求項４】
また、従来の紙製のラップフィルムケースでは、ラップフィルムの残量を外観から目視することができなかった。請求項３のとおり、透明プラスチック製ケースとして、内部を目視できるようにすることで初めて可能となる、ラップフィルムの残量マーカー。
【請求項５】
ラップフィルムを連続して引き出しし易いように、バネを使用して可動式としたフィルムカッターの機能を併せ持ったプレート。
【請求項６】
請求項５のプレートは、本体の側部にある回転部分により固定、開放が行われる、カッター機能を併せ持った本体開口部の可動式蓋。
【発明の詳細な説明】
【０００１】
【発明の属する技術分野】
本発明は、ラップフィルムのロール芯を不要とし、またそれを収納するケースを半永久的に使用できるものとすることで、家庭から排出されるゴミの低減と、企業における製品の製造コストの低減を実現させるものである。また、従来には無かったラップフィルムの残量を示すこと、ラップフィルムの連続した使用を可能とし、使用についての利便性の向上を図るものである。
【０００２】
【従来の技術】
従来は硬質な厚紙のロール芯にラップフィルムを巻き、フィルムの形状を保つものであった。しかし、ラップフィルムを使い終えたときにはロール芯は嵩張るゴミとして残る。
【０００３】
主に紙製のラップフィルムケースでは、外観からは中身のラップフィルムの状況が確認できないだけではなく、フィルムの残量を確認することができない。箱の蓋を都度開けて確認するに至っては、非常に使用量、頻度も多い製品であり不便である。ラップフィルム自体の所定の位置に残量を示す色を付けることを容易に考えるが、色を付けても製品が透明であることからその位置が明確に判断し得ないことや、その色が付いた部分で生鮮食品を包んだ時に食品の新鮮な色を損なうおそれがあることから適当ではない。また、逐次残量を知らべることに代えて、家庭では買い置きをすることが多く、そのストックのためのスペースを無駄としている。
【０００４】
ロール芯と同様に紙製に代表される従来のラップフィルムのケースは、ロール芯と同様に使い捨てであり、家庭用ゴミの排出量を増加させている。ラップフィルム製品のために、ロール芯及びケースに紙を使用し、使い捨てのゴミを排出することは、資源環境の悪化に拍車を掛けるものである。また、これら無駄となる部分は製品のコストを上げている。
【０００５】
従来の製品では、ラップフィルムを収納するケースは角を有する箱状のものであり、箱の蓋となる部分にラップフィルムをカットする刃が装着されているものが殆どである。フィルムをカットし、次に引き出そうとする場合には、一度刃の付いた蓋部分を持ち上げてフィルムを引き出す作業を必要とし、連続してラップフィルムを引き出してカットする作業は困難である。
【０００６】
【発明が解決しようとする課題】
本発明の目的は、ラップフィルム製品を詰め替えとし、またそれを収納するケースを半永久的な物とすることで、使用後のゴミの排出量の低減と、製品コストの低減を目的とする。また、ラップフィルムケースの形状を工夫することで、家庭での利便性を向上させることを目的としている。
【０００７】
従来のラップフィルムケースやフィルム自体の形状では為し得なかったであろう、ラップフィルムの残量表示を容易に行えるようにすることで、家庭などでは無駄に買い置きなどをすることなく、必要な都度購入する経済的な場面を作ることができる。
【０００８】
ラップフィルムを連続して引き出してカットする動作を行う場合、切断のために閉じられた状態となった蓋の部分を持ち上げて、ラップフィルムの切断された先端部分を探し出すと言う手間があり、連続した作業は不得手であった。台所での作業の時間短縮といったものも、家庭の主婦にとっては重要な課題でもあり、僅かながらであっても効率的作業ができる製品を創出する必要性があるものと思う。
【０００９】
【課題を解決するための手段】
本発明では、従来のラップフィルムのロール芯とされていた既成の円筒に代えて、ラップフィルムのロールを製造する過程で画用紙程度の厚紙を円筒状に丸めることで代替えの芯を形成し、従来の厚紙ロール芯と同様にフィルムの形状を保つようにした。
【００１０】
ラップフィルムのケースは透明なプラスチック製として半永久的に使用できるものとし、詰め替え用のラップフィルムを収納して使用する。これにより、紙製の箱に収納していた場合と違い、収納する紙ケース及び厚紙ロールのゴミ排出を無くすことが可能となる。
【００１１】
また、ケースは円筒形に成型することで、握りやすくなり、主にラップを使用する家庭の主婦の手にも馴染み易いものとなる。
【００１２】
従来であれば、ラップフィルムの残量確認は、ケースを開けて確認するほかになかったが、ケースを透明なプラスチック容器にすることで、フィルムの残量を表示する目印を外部より確認することが可能となる。
【００１３】
【発明の実施の形態】
本発明は、従来のラップフィルムの形状を変えることに加えて、それを収納するケースの改良によって効用を発揮するものである。本発明では、ラップフィルムの形状を維持するために硬質な厚紙ロールに巻いていた従来の物の代わりに、画用紙程度の厚紙にラップフィルムを粘着固定してフィルムを一緒に巻き込みロールを形成する。円筒状となった紙は強度を増すが、それを保持する請求項２の芯を差込み、さらに請求項３のケースに収納することで従来の硬質な厚紙ロールと同様にラップフィルムの形状と機能を保つものである。フィルムを使い終えた場合には、円筒状となった厚紙だけが残るので、それを展開することで容易に畳むことができ、容量の少ないゴミとして廃棄することができる。
【００１４】
請求項１に示すラップフィルムを収納するケースは、透明のプラスチック製とする。また、請求項４にあるようにラップフィルムの残量を目視で確認できるようにしなければならないこと、手に持ちやすい形状を成型するのには最も使いやすい素材と思われることからである。更に、半永久的に使用できる耐久性のある素材であり軽量にすることができる材質であることからプラスチックが望ましい。
【００１５】
従来の製品では、ラップフィルムを繰り返し引き出すためには、ラップフィルムのロールを収納するケースの蓋を手動にて開ける動作が必要であった。本発明にあっては、従来の蓋に当たる部分を鋸刃状のカッターを有するプレートとし、バネによる可動式としたことによって、ラップフィルムをカットした後にはプレートはバネの作用により跳ね上がり、切断されたラップフィルムの切断部分が露出され、次の引き出しの作業を容易にしている。
【００１６】
芯を有しないラップフィルムを固定し、且つスムーズな引き出しを使い切るまで安定して容易にするための解決方法として、スポンジを被服したプラスチック製のロール芯を内蔵する。
【００１７】
【実施例】
図１に示しているのは、請求項１に示したラップフィルムのロールを収納するケースの外観である。１は本体となる部分であり透明のプラスチックを成型したものである。本体に付属するものとして２が鋸刃状のカッターを有する可動式プレートである。本体１の左右部分は、５及び７で本体を締め付け固定する。尚、５の内側にある６は回転できるようにフリーとなっており、一定の回転角で２を固定またはフリーとする役目を果たすものである。本体は円筒形であるため、転がりを防止するために８の足を有している。
【００１８】
図２は、本体１に付属する鋸刃状カッターを有するプレートの形状を示すものである。プレート２は１３の突起部が図５または図１２に示す本体の１４の穴に差し込まれ、可動する際の支点となる部分である。このプレート２が可動するためには、図３の１３を支点とするバネ１１をプレート２の突起部１２によって一方を固定する。また、その一方は図６及び図１２に示す本体の突起部２０の２３に挟み固定する。ラップフィルムを切断するときにはプレート２の３を指で押し込む。するとラップフィルムはプレート２先端の鋸刃状の９により切断される。指を離して開放すれば１１のバネの反動でプレート２は跳ね上がる機能を有する。
【００１９】
図５は、プレート２を取り外した本体を表している。本体は透明プラスチックで成型された１及び本体を締め付けする５、７並びに６のポリプロピレン等の比較的柔らかな材質でできた各部分で構成される。尚、５、７及び６を取り外した本体は図６のように展開されるものである。図６の形状を図５の円筒形に保つため、本体１には１５及び１６のねじ山を施し、それに噛み合う形状で５の内側には３７のねじ切りを施し１５と噛み合わせる。また、１６のねじ山に対応させる形で７の内部にもねじ切りを施す。
【００２０】
本体には可動式プレートを保持するための突起部を設け、そこに１３の部分がはまる大きさの穴１４を空ける。プレート２は、本体６箇所の１４の穴に１３の突起部を差し込むことでプレート２が可動する機能を保持することができる。
【００２１】
４は粘着性の強いゴム系の材質である。４はラップフィルムをプレート２との間に挟み切断を容易にする機能と、使用後においてのラップフィルムの巻き戻り防止並びに２のプレートを蓋として収納する際の圧着材として機能するものである。
【００２２】
図６は５、７及び６を外して本体１を展開した図である。本体は透明なプラスチックで成型されており、薄く成型された１８の部分によって二枚貝のごとく繋がれている。
【００２３】
図１２は、５及び６を取り外した本体１の側面である。本体は上部と下部が１８の薄く成型された部分により繋がれ円筒形を形成している。側部の本体プラスチック部は上下が半円形にカットされ、噛み合わせたときに２１の部分の形状が３２のようにフィールドトラック状となっている。この部分は、ロールを支持するプラスチック芯を保持する片方となる。また、図１３では２２の本体が突起してプレート状になっている部分が３５のように開口しており、プラスチック芯のもう一方を支持する部分となる。
【００２４】
図１４は５及び６の内部を見た図である。６は５を本体にねじ込むことによって本体１に適度に押し付けられるものであるが、５と６のパーツについては一体ではなく６は自由に回転できる状態である。６に持たせる機能は、プレート２の収納及び開放をする機能である。この動作を的確にさせるために、６に凸部３６を施し、それを収めることができるサイズの凹部３３及び３４を本体に施す。６を回転させ３６の凸部が３３の凹部に収まった状態で６の開口部である１７よりプレート２の１０は開放されプレート２が跳ね上がる。また、プレート２を収納するに際しては、プレート２を４に圧着するところまで押し込み１０を図６の１９の凹部にしまい込む。それと同時に６を回転させ３６の凸部を３４の凹部に収まる状態にすると、１０は６の内側によって押さえ込まれ、プレート２は本体と一体となって開口部は閉ざされる。
【００２５】
ここまで説明をした本体に対して、それに収納されるラップフィルムの形状を示すのが図７及び図８である。図７の２４は画用紙程度の硬さを有する厚紙である。２６のように一部を突出させ、図７に見える突出する部分の表面のみを赤色に着色する。また、ラップフィルムのロールを成型する際には、この２４と２７のラップフィルムを重ねるのであるが、一緒に巻き込みをし易いように、４箇所程度に糊を２５のようにロール巻き込み方向に平行に塗る。
【００２６】
図７の２６は、ラップフィルムの残量を示すマーカーの機能を持たせるのであるが、例えば、ラップフィルムの残量を残り１メートルのところで表示させる場合、ラップフィルムの製造過程でロールを１メートルと１回転目のところで２６の部分をラップフィルムロールの上に折り込む。その後はその製品の指定された長さまでラップフイルムを巻いて行くのである。
【００２７】
従来のように硬質な紙でできた芯を持たないラップフィルムロールを保持する芯を示しているのが図１０及び図１１である。プラスチックで作られたこの芯の大きな特徴は、ラップフィルムのロールを引き出すことが最後まで安定して行えるように工夫をほどこしていることである。即ち、ロールの形状を保つロール芯を持たないこのラップフィルムについては、ロールの内側に適度な摩擦を与え回転を制御しなければ、ロールは引き出し過ぎや巻き戻りといった現象を引き起こす。そのためには、ロール全体に均一な摩擦を与えなければならない。本発明ではその解決方法として、プラスチックの芯に３１の通りロール内部より若干芯が太めになる程度にスポンジを巻き、ロール内部へ均等な摩擦を与えるようにした。２８は、図１２に示す２１のプレートに開口された３２にはめ込み、また３０は２２のプレートの開口部３５にはめ込まれる。プラスチックの芯自体が回転せずにロールに摩擦を与えることができるように固定するものである。さらに、ロールが左右に揺れることを防止するものとして２９の円形プレートが芯と一体になっている。他方、プラスチック芯が３５にはめ込まれた状態においては、図６の２２の部分がプレートの役割を果たし、ロールは双方のプレートに挟められる状態となることで、左右に揺れることがなくなる。これらによって、ラップフィルムは使い終わる段階まで安定した回転を行うことができる。
【００２８】
図１６は、ラップフィルムの使用の形態を連続して示した図である。左上は本体１を断面で見た略図である。鋸刃状のカッターを有するプレート２は、バネの作用によって１３を中心として跳ね上がる。この状態でラップフィルムのロール３８は引き出せる。
【００２９】
必要な分量を引き出したラップフィルムは、プレート２を押し込み、ラップフィルムを粘着性のあるゴム状の４との間に挟むようにする。この状態で１のケース本体を若干回転させるように作用させることで、プレート２の先端の鋸刃状カッターによってラップフイルム３８は切断されるのである。
【００３０】
ラップフィルムを切断し、プレート２を開放すると、再びバネの作用によってプレート２は跳ね上がる。すると、切断された後のラップフィルム３８は４に粘着した状態で、プレート２と４に挟まれていた部分とプレート２の先端のカッターとの間の代の部分を残す。この代の部分は、連続してラップフィルムを引き出す際の引き出し部分となり、連続した使用が可能になる。
【００３１】
ラップフィルムの残量が１メートルとなると、ロール成型の過程でロールに折り込んでいた２６は、既に引き出され張っている３７のフィルムによって引き起こされ、２６の赤色に塗られた部分が見えるようになる。ラップフィルムのケースである本体１は透明なプラスチックであるがために、この残量インジケーターである２６を目視することができるものである。
【００３２】
【発明の効果】
本発明の効果は、主に家庭から排出されるゴミの量の低減、ラップフィルムを使用するユーザーにとっての利用し易さの向上、そして製造する企業にとっての製造コストの低減を目的としている。
【００３３】
ラップフィルムのロール芯を無くすることで、従来のようにラップフィルムの使用後に残る硬質な厚紙のロール芯が排出されることがなくなる。
【００３４】
本発明ではラップフィルムを収納するケースを、半永久的に使用できるプラスチック製とした。それによって、従来製品ではラップフィルムを使用後に不要となり、ゴミとして排出されるしかなかった主に紙製のケースを省くことができる。
【００３５】
ケースの形状を手に馴染み易い円筒形とし、主にラップフィルム製品を使用する主婦にとっても扱いやすくした。
【００３６】
ケースの構造を出来るだけ簡易なものとして製品のコスト低減を実現させるとともに、作業性においても、ラップフィルムの引き出しやカットの動作、ロールの詰め替え作業が簡単にできる構造としている。
【００３７】
ラップフィルムは連続して使用することが多いが、特に問題となるのがラップフィルムをカットした後の次の引き出し部分のつまみ出しである。本発明においては、フィルムのカット後に次の引き出し部分を引き代として残す機能を有しており、つまみ出しが非常に簡単となる。これによる作業効率の向上は、ラップフィルムを使用するユーザーに大いに喜ばれるものである。
【００３８】
ラップフィルムの残量をケース外部から容易に目視できることは従来の製品には全くなかった機能である。日常的にラップフィルムを使用するユーザーにとっては、使用途中でフィルムを使い切ってしまうことを回避するには、使用の都度中身を確認するか、ラップフィルムが安売りされているときにまとめ買いをしてストックをするかしか対処のしようがないものと思われる。本発明については、ラップフィルムの残量マーカーを付けており、マーカーが表示されるまで安心してラップフィルムを使用することができる。
【００３９】
現代では、世界的な規模で資源環境を保護することが叫ばれている。本発明では、排出ゴミの低減と製造する企業にとっての製造コスト削減効果を実現させている。またラップフィルムを使用するユーザーにとっての利便性を大幅に向上させているものである。
【図面の簡単な説明】
【図１】ラップフィルムを収納する透明プラスチック製のケースの外観である。
【図２】ケースに付属する鋸刃状のカッターを有するプレートの部分図である。
【図３】図２のプレートの側部を表し、プレートの開閉動作を行うためのバネの付属状況を表している。
【図４】図２のプレートの中央部分の断面を表す。
【図５】ケース本体からプレート部分及び、ケースの側部に付属するねじ込み状の蓋を外した図である。
【図６】ケース本体を展開した図である。
【図７】ラップフィルムの代替えの芯としてフィルムとともに巻きこむ厚紙の形状である。
【図８】図７とともにラップフィルムを巻きこんでいく過程の図である。
【図９】ラップフィルムのロールを成型する過程で、マーカーとなる部分を折り込むところを示す図である。
【図１０】詰め替えとなる芯なしラップフィルムに差込む、半永久的使用を行うプラスチック製の芯の形状を示す図である。
【図１１】図１０の図を補足するための図である。
【図１２】ケース本体より、側部のねじ込み蓋を外した状況を表す図である。
【図１３】図１２の反対側となるケース本体を、ねじ込み蓋を取って見せた状況を表す図である。
【図１４】ケース本体にねじ込む蓋の内部を表す図である。
【図１５】図１４の蓋を側面から見た図である。
【図１６】本発明の機能を表す略図である。
【図１】
2004244101.tif 000003
【図２】
2004244101.tif 000004
【図３】
2004244101.tif 000005
【図４】
2004244101.tif 000006
【図５】
2004244101.tif 000007
【図６】
2004244101.tif 000008
【図７】
2004244101.tif 000009
【図８】
2004244101.tif 000010
【図９】
2004244101.tif 000011
【図１０】
2004244101.tif 000012
【図１１】
2004244101.tif 000013
【図１２】
2004244101.tif 000014
【図１３】
2004244101.tif 000015
【図１４】
2004244101.tif 000016
【図１５】
2004244101.tif 000017
【図１６】
2004244101.tif 000018